(57)【要約】【課題】３枚刃の替え刃を使用することができるとともに、２枚刃の替え刃をも選択的に取り付けることができる安全かみそりのホルダーを提供すること。【解決手段】頭部３と柄部４とが長手方向に延びる基線に沿って一体化され、替え刃をその刃体の長手方向が基線に沿うようにして取り付けるための装着部２が頭部３に設けられてなる安全かみそりのホルダー１であって、装着部２は、第１の替え刃ＲＢ１の長手方向の両端に設けられた係合部４２ａ，４２ｂに係合する爪２１ａ，２２ａと、第１の替え刃ＲＢ１の中央に位置して長手方向と直交する方向に延びたリブ４３ｃの欠損部４４に嵌合する嵌合部２３ａと、第１の替え刃ＲＢ１とは形状の異なる第２の替え刃ＲＢ２の底面に設けられ且つ長手方向に延びた係合溝５２ａ，５２ｂ内に嵌り込み第２の替え刃ＲＢ２を保持する保持部２４ａ，２５ａと、を有し、装着部２は、第１の替え刃ＲＢ１および第２の替え刃ＲＢ２のいずれも選択的に着脱可能に構成されてなる。【選択図】      図１
2004254847.tif 000002
【特許請求の範囲】
【請求項１】
頭部と柄部とが長手方向に延びる基線に沿って一体化され、替え刃をその刃体の長手方向が前記基線に沿うようにして取り付けるための装着部が前記頭部に設けられてなる安全かみそりのホルダーであって、
前記装着部は、
第１の替え刃の長手方向の両端に設けられた係合部に係合する爪と、
前記第１の替え刃の中央に位置して長手方向と直交する方向に延びたリブの欠損部に嵌合する嵌合部と、
前記第１の替え刃とは形状の異なる第２の替え刃の底面に設けられ且つ長手方向に延びた係合溝内に嵌り込み前記第２の替え刃を保持する保持部と、を有し、前記装着部は、前記第１の替え刃および前記第２の替え刃のいずれも選択的に着脱可能に構成されてなる、
ことを特徴とする安全かみそりのホルダー。
【請求項２】
前記装着部が前記頭部において前記基線の両側に配された、
請求項１記載の安全かみそりのホルダー。
【請求項３】
前記頭部には凸部が設けられ、
前記凸部の長手方向の両側面には掛着部が設けられ、
前記装着部の前記第１の替え刃または前記第２の替え刃が取り付けられる側の面の裏側の面には、前記凸部の幅と略同一の幅を有し前記凸部より長手方向に長い凹部および前記凸部を前記凹部で覆ったときに前記掛着部に掛着して前記頭部と一体化するための鉤部が設けられてなり、
前記装着部と前記頭部とが着脱可能に構成された、
請求項１または請求項２記載の安全かみそりのホルダー。
【発明の詳細な説明】
【０００１】
【発明の属する技術分野】
本発明は、頭部と柄部とが長手方向に延びる基線に沿って一体化され、替え刃の刃体の長手方向が前記基線に沿うようにして取り付けるための装着部が前記頭部に設けられてなる安全かみそりのホルダーに関する。
【０００２】
【従来の技術】
従来において、頭部と柄部とが長手方向に延びる基線に沿って一体化され、頭部において基線の両側に配された装着面に替え刃を取り付けるための係合部材が設けられた形式の安全かみそりが、特開平５−１２３４６０号として提案されている（特許文献１参照）。
【０００３】
このような安全かみそりに用いられる替え刃は、長方形状のプラスチック製のケース内に１枚又は２枚の刃体が装着され、ケースの裏面に係合部材と係合するための係合溝が設けられている。このような替え刃は、公知であり、且つシックスーパーＩＩ（ファイザー・コンシューマーＩｎｃ．）などとして市販されている。
【０００４】
しかし、近年において、剃り心地がソフトなこと、剃り残しが少ないこと、および刃体の寿命が長いことなどから、３枚の刃体が装着された替え刃（以下「３枚刃の替え刃」）が急速に普及してきている。３枚刃の替え刃を安全かみそりのホルダーに取り付けた製品は、例えばシックトリプルエッジ（ファイザー・コンシューマーＩｎｃ．）、またはジレットマンハッタンスリー（ジレットジャパンインコーポレイテッド社）等の製品名で市販されている（非特許文献１，２参照）。
【０００５】
【特許文献１】
特開平５−１２３４６０号公報（段落番号０００７、第２図）
【０００６】
【非特許文献１】
インターネット＜ＵＲＬ：ｈｔｔｐ：／／ｗｗｗ．ｓｃｈｉｃｋ−ｊｐ．ｃｏｍ／ｔｒｉｐｌｅ＿ｅｄｇｅ．ｈｔｍ＞
【０００７】
【非特許文献２】
インターネット＜ＵＲＬ：ｈｔｔｐ：／／ｗｗｗ．ｇｉｌｌｅｔｔｅ−ｊｐ．ｃｏｍ／ｍａｌｅ／ｇｍ３．ｈｔｍｌ＞
【０００８】
【発明が解決しようとする課題】
理容業界には、客のひげ剃りに用いる道具として、一般に市販され普及品であるＴ字形の安全かみそりでは満足できず、そのために、従来から使用していたレザー（西洋かみそり）や日本かみそりを使用する理容師も数多い。しかしながら、これらの従来から使用するかみそりは、剃り味を維持するために定期的に砥石等で研ぐ必要があり、使い捨ての替え刃形式の安全かみそりに比べて日常の切れ味の維持等が面倒である。
【０００９】
そこで、レザー等の従来のかみそりに使い勝手が類似し、理容師が使用する道具にふさわしい外観を有する、柄の長手方向と同一方向に替え刃の刃体が配される替え刃形式の安全かみそりのホルダー（以下「ホルダー」）が、理容業界で徐々に普及し始めている。
【００１０】
しかし、このようなホルダーは、今日まで、特許文献１に記載されるように２枚の刃体が装着された替え刃（以下「２枚刃の替え刃）を取り付けるためのものしか存在せず、３枚の刃体が装着された替え刃（以下「３枚刃の替え刃）が有する優れた特徴を引き出すホルダーは現存していなかった。
【００１１】
本発明は、上述の問題に鑑みてなされたもので、３枚刃の替え刃を使用することができるとともに、２枚刃の替え刃をも選択的に取り付けることができる安全かみそりのホルダーを提供することを目的とする。
【００１２】
【課題を解決するための手段】
本発明にかかる安全かみそりのホルダーは、頭部と柄部とが長手方向に延びる基線に沿って一体化され、替え刃をその刃体の長手方向が前記基線に沿うようにして取り付けるための装着部が前記頭部に設けられてなる安全かみそりのホルダーであって、前記装着部は、前記第１の替え刃の長手方向の両端に設けられた係合部に係合する爪と、前記第１の替え刃の中央に位置して長手方向と直交する方向に延びたリブの欠損部に嵌合する嵌合部と、前記第１の替え刃とは形状の異なる第２の替え刃の底面に設けられ且つ長手方向に延びた係合溝内に嵌り込み前記第２の替え刃を保持する保持部と、を有し、前記装着部は、前記第１の替え刃および前記第２の替え刃のいずれも選択的に着脱可能に構成されてなる。
【００１３】
また、他の本発明にかかる安全かみそりのホルダーは、前記頭部には凸部が設けられ、前記凸部の長手方向の両側面には掛着部が設けられ、前記装着部の前記第１の替え刃または前記第２の替え刃が取り付けられる側の面の裏側の面には、前記凸部の幅と略同一の幅を有し前記凸部より長手方向に長い凹部および前記凸部を前記凹部で覆ったときに前記掛着部に掛着して前記頭部と一体化するための鉤部が設けられてなり、前記装着部と前記頭部とが着脱可能に構成される。
【００１４】
【発明の実施の形態】
図１は本発明にかかるホルダー１の要部の斜視図、図２は頭部３の斜視図、図３は装着部２の裏面の斜視図、図４は頭部３と装着部２とが一体となったときの基線上における長手方向断面図、図５（Ａ）は３枚刃の替え刃ＲＢ１の平面図、図５（Ｂ）は３枚刃の替え刃ＲＢ１の右側面図、図６は図５（Ａ）のＡ−Ａ線矢視断面図、図７は図５（Ａ）のＢ−Ｂ線矢視断面図、図８は図１のＣ−Ｃ線矢視断面図、図９は図１のＤ−Ｄ線矢視断面図、図１０はホルダー１に３枚刃の替え刃ＲＢ１を取り付けた図、図１１（Ａ）は２枚刃の替え刃ＲＢ２の平面図、図１１（Ｂ）は２枚刃の替え刃ＲＢ２の正面図である。
【００１５】
これらの図において、ホルダー１は、頭部３、頭部３に着脱可能に構成された装着部２、および柄部４からなる。頭部３と柄部４とは、長手方向に延びる基線に沿って一体に形成される。
【００１６】
頭部３は、鋼材またはステンレス鋼などの金属材料を削りだすことにより製作される。図２に示すように、頭部３には基準面３１の上に長方形状の凸部３２が設けられる。凸部３２の長手方向の両端の側面には長手方向に延びた張り出しが設けられ、張り出しの一部が掛着部３３ａ，３３ｂを形成する。凸部３２の長手方向の両端部の上面には、平面断面形状が矩形の突起部３４ａ，３４ｂが設けられる。基準面３１の長手方向長さは約４０ｍｍ、幅は約１７ｍｍである。凸部３２の長手方向長さは約２３ｍｍ、幅は約１０ｍｍ、高さは約２ｍｍである。矩形の突起部３４ａ，３４ｂは長手方向および幅方向共に一辺が約４ｍｍであり高さは約３ｍｍである。頭部３はグラインダーなどで形を整えた後に、替え刃を取り付けた際に人目につく部分は、高級感を出すためにバフ仕上げで滑らかな鏡面に研磨される。
【００１７】
装着部２は、フェノール樹脂、ポリカーボネートおよびポリアセタール等の樹脂を、削りだし加工または成型加工することにより製作される。図１に示すように、装着部２は概観が背の低いかまぼこのような形をしており、装着部２の長手方向の両端には、突出する爪２１ａ，２１ｂ，２２ａ，２２ｂが各端に２つずつ計４つ設けられる。装着部２の中央には、幅方向に長い長方形の断面形状を有し装着部２の替え刃が取り付けられる側の面（以下「上面」）とその裏側の面（以下「下面」）とを貫通する２つの孔２３１ａ，２３１ｂが、基線の両側に配される。各孔２３１ａ，２３１ｂの幅方向の外方には、孔２３１ａ，２３１ｂの長方形断面の短辺と等しい幅の切り欠き溝２３２ａ，２３２ｂが設けられる。この孔２３１ａ，２３１ｂと切り欠き溝２３２ａ，２３２ｂに挟まれて嵌合部２３ａ，２３ｂが形成される。
【００１８】
装着部２の上面側に、中央部が高く外方に向かうにつれて低くなるように傾斜した平面で形成された保持部２４ａ，２４ｂ，２５ａ，２５ｂが、４カ所設けられる。保持部２４ａと２４ｂ，および保持部２５ａと２５ｂは、基線を挟んで面対称であり、且つ、保持部２４ａと２５ａ、および保持部２４ｂと２５ｂは、図１のＣ−Ｃ線矢視断面について面対称となるように設けられる。
【００１９】
図５（Ｂ）に示すように、３枚刃の替え刃ＲＢ１には長手方向と直交する方向に延びたリブ４３ａ〜４３ｅが設けられているために、保持部２４ａ，２４ｂ，２５ａ，２５ｂは、３枚刃の替え刃ＲＢ１を装着部２に取り付けたときにリブ４３ａ〜４３ｅを避けるように設けられる。具体的には、保持部２４ａ，２４ｂ，２５ａ，２５ｂの長手方向の幅をリブ４３ａ〜４３ｅの間隔より狭くし、３枚刃の替え刃ＲＢ１を装着部２に取り付けたときに、保持部２４ａ，２４ｂ，２５ａ，２５ｂがちょうどリブ４３ａ〜４３ｅの間に入り込むような位置に設けられる。
【００２０】
例えば、図１に示す実施形態では、３枚刃の替え刃ＲＢ１のリブ４３ａ〜４３ｅの間隔は各約５ｍｍであるので、保持部２４ａ，２４ｂ，２５ａ，２５ｂは、孔２３１ａ，２３１ｂから長手方向の先端の側および柄４の側に向かって、それぞれ５ｍｍにリブ４３ａ〜４３ｅの厚みを加えた間隔を空けて、幅約５ｍｍで設けられている。図８に示すように、保持部２４ａ，２４ｂ，２５ａ，２５ｂの傾斜は約４５度である。
【００２１】
図１および図３に示すように、装着部２にはその基線上に、頭部３の突起部３４ａ，３４ｂに嵌合し、装着部２の上面と下面とを貫通する２つの貫通穴２８ａ，２８ｂが設けられる。また、図３に示すように、装着部２の下面には、頭部３の凸部３２の幅と略等しい幅であって凸部３２より長手方向に長い凹部２６が設けられる。凹部２６における貫通穴２８ａ，２８ｂの開口部の長手方向外方の端には、凸部３２の両端部に設けられた掛着部３３ａ，３３ｂに掛着することができる鉤部２７ａ，２７ｂが設けられる。
【００２２】
頭部３と装着部２との一体化は、凸部３２が凹部２６に収まるようにしながら、突起部３４ａ，３４ｂを貫通穴２８ａ，２８ｂに嵌め込み、鉤部２７ａ，２７ｂが位置する装着部２の上部を軽く押さえることにより行う。このようにすることで、図４に示すように、鉤部２７ａ，２７ｂは掛着部３３ａ，３３ｂに掛着し、頭部３と装着部２とが一体化する。
【００２３】
頭部３から装着部２を取り外す場合は、先端側の基準面３１と装着部２の下面との間にマイナスドライバを入れ、装着部２の端を浮かせておこなう。装着部２の端を浮かせることで、掛着部３３ａから鉤部２７ａを外し、頭部３と装着部２を分離することができる。
【００２４】
柄部４は、頭部３と一体化し頭部３と同じ金属材料で造られたベースに合成ゴムまたはプラスチックを成型した握り部を取り付けて形成する。握り部は使用者が使いやすい形状にデザインされている。
【００２５】
図５に、装着部２に取り付けられる３枚刃の替え刃ＲＢ１を示す。３枚刃の替え刃ＲＢ１は、長手方向に延び幅方向に並べられた３枚の刃体４１ａ，４１ｂ，４１ｃを有する。３枚刃の替え刃ＲＢ１の長手方向の両端には、内側に鉤状に屈曲する係合部４２ａ，４２ｂが設けられている。図６に示すように、係合部４２ａ，４２ｂの断面形状はやや刃側が凹となるように湾曲している。中央のリブ４３ｃは、他のリブ４３ａ，４３ｂ，４３ｄ，４３ｅに比べてやや外方に長く延びており、図７に示すように、略Ｕ字形の欠損部４４を有する。
【００２６】
３枚刃の替え刃ＲＢ１の装着部２への取り付けは、次のようにして行う。
先ず、３枚刃の替え刃ＲＢ１の一方の係合部４２ｂを、刃先が外側を向くようにして装着部２の一方の爪２２ａに掛ける。次に、リブ４３ｃの欠損部４４に装着部２の嵌合部２３ａが嵌め込まれるように欠損部４４と嵌合部２３ａとの位置あわせを行い、リブ４３ｃを孔２３１ａおよび切り欠き溝２３２ａに押し込みながら、他の一方の係合部４２ａをもう一方の爪２１ａに係合させる。３枚刃の替え刃ＲＢ１は若干湾曲可能な構造となっているので、装着部２への取り付け作業を容易に行うことができる。基線を挟みもう一方の側の３枚刃の替え刃ＲＢ１も、同様にして取り付けることができる。
【００２７】
装着部２から３枚刃の替え刃ＲＢ１を取り外すときは、取り付け作業と逆の順序で作業を行う。３枚刃の替え刃ＲＢ１を湾曲させながら係合部４２ａ，４２ｂと爪２１ａ，２２ａとの係合を解除すれば、取り外しは容易に行うことができる。
【００２８】
このように、係合部４２ａ，４２ｂと爪２１ａ，２２ａとの係合および欠損部４４と嵌合部２３ａとの嵌合によって、３枚刃の替え刃ＲＢ１が装着部２に着脱可能に取り付けられる。
【００２９】
図１０に示すホルダー１の基線の両側に刃先をいずれも外側に向けて２つの替え刃ＲＢ１が取り付けられた安全かみそりは、ひげがどのような向きに生えていても、２つの替え刃を使い分けることにより、さか剃りを避けることができ、肌を傷めることなくスムーズな剃り心地を得ることができる。
【００３０】
２枚刃の替え刃ＲＢ２の装着部２への取り付けは、次のようにして行う。図１１（Ｂ）に示すように、２枚刃の替え刃ＲＢ２の底面には、長手方向に延びた係合溝５２ａ，５２ｂが設けられ、図１１（Ｂ）において刃先５１ａ，５１ｂは左側を向いている。そこで、２枚刃の替え刃ＲＢ２の刃先５１ａ，５１ｂが外側に向くようにして、頭部３の先端の側から係合溝５２ａ，５２ｂが保持部２４ａ，２５ａに嵌り込むように係合させた状態で、柄部４の方にスライドさせて取り付けを行うことができる（図９参照）。基線を挟む他の側の替え刃も同様にして取り付けることができる。
【００３１】
２枚刃の替え刃ＲＢ２を取り外す場合には取り付けと逆の作業を行う。係合溝５２ａ，５２ｂと保持部２４ａ，２５ａとにより、２枚刃の替え刃ＲＢ２が装着部２に着脱可能に取り付けられる。
【００３２】
上述のホルダー１によると、２種類の異なる替え刃を容易に取り替えて使用することができる。３枚刃の替え刃ＲＢ１と２枚刃の替え刃ＲＢ２とでは剃る際の手に伝わる感触が異なり、使用者によりいずれを使用するかの好みが分かれる。多数の理容師を有する理髪店においても、２種類の替え刃を着脱可能に取り付けることができる本発明にかかるホルダー１は、少ない常備個数で、使用者の好みの違いによる３枚刃の替え刃ＲＢ１と２枚刃の替え刃ＲＢ２との使い分けを行うことができる。
【００３３】
また、頭部３と装着部２とを着脱可能に構成することにより、ホルダー１の加工を容易に行うことができる。特に装着部２は細かな加工が必要であり、これを成型加工や切削加工が容易な材料であるプラスチックで形成することにより製造コストが低減される。さらに、替え刃のデザイン等が変更された場合にも、寸法が変更された後の替え刃を取り付けることができる装着部２に取り替えるのみで、頭部３はそのまま継続して使用することができる。
【００３４】
上述の実施形態において、装着部２を基線の両側に２つの替え刃を取り付けるタイプではなく、片側に１つの替え刃を着脱可能に取り付けるタイプのものとすることができる。この場合、頭部３および装着部２の幅は、上に述べた実施形態におけるそれらの幅よりも狭くすることができる。
【００３５】
上述の実施形態において、頭部３と装着部２とを別々に製作し一体化するのではなく、頭部３と装着部２とを同一材料例えば炭素鋼、ステンレス鋼または亜鉛合金等で一体として形成してもよい。頭部３と装着部２とを、同一材料または別材料で形成した後に、接着等により固定的にまたはネジ止め等により着脱可能に一体化してもよい。
【００３６】
上述の実施形態において、保持部２４ａ，２４ｂ，２５ａ，２５ｂの傾斜角度を約４５度としたが、この角度に限定されるものではなく、適宜角度を選択することができる。装着部２の材質に、本実施形態における材質以外のものを使用することができる。頭部３、柄部４、替え刃ＲＢ１，ＲＢ２、またはホルダー１の全体または各部の構造、形状、寸法、材質、個数などは、本発明の趣旨に沿って適宜変更することができる。
【００３７】
【発明の効果】
本発明によると、３枚刃の替え刃および２枚刃の替え刃を選択的に取り付けることができる安全かみそりのホルダーを提供することができる。
【図面の簡単な説明】
【図１】本発明にかかるホルダーの要部の斜視図である。
【図２】ホルダーの頭部の斜視図である。
【図３】装着部の裏面の斜視図である。
【図４】頭部と装着部とが一体となったときの基線上における長手方向断面図である。
【図５】３枚刃の替え刃の平面図および右側面図である。
【図６】図５（Ａ）のＡ−Ａ線矢視断面図である。
【図７】図５（Ａ）のＢ−Ｂ線矢視断面図である。
【図８】図１のＣ−Ｃ線矢視断面図である。
【図９】図１のＤ−Ｄ線矢視断面図である。
【図１０】ホルダーに３枚刃の替え刃を取り付けた図である。
【図１１】２枚刃の替え刃の平面図および正面図である。
【符号の説明】
１  ホルダー
２  装着部
３  頭部
４  柄部
２１ａ，２１ｂ，２２ａ，２２ｂ  爪
２３ａ，２３ｂ  嵌合部
２４ａ，２４ｂ，２５ａ，２５ｂ  保持部
２６  凹部
２７ａ，２７ｂ  鉤部
３２  凸部
３３ａ，３３ｂ  掛着部
４１ａ，４１ｂ，４１ｃ  刃体（第１の替え刃の刃体）
４２ａ，４２ｂ  係合部
４３ｃ  リブ（欠損部を有するリブ）
４４  欠損部
５１ａ，５１ｂ  刃体（第２の替え刃のは体）
５２ａ，５２ｂ  係合溝
ＲＢ１  第１の替え刃（替え刃、３枚刃の替え刃）
ＲＢ２  第２の替え刃（替え刃、２枚刃の替え刃）
【図１】
2004254847.tif 000003
【図２】
2004254847.tif 000004
【図３】
2004254847.tif 000005
【図４】
2004254847.tif 000006
【図５】
2004254847.tif 000007
【図６】
2004254847.tif 000008
【図７】
2004254847.tif 000009
【図８】
2004254847.tif 000010
【図９】
2004254847.tif 000011
【図１０】
2004254847.tif 000012
【図１１】
2004254847.tif 000013